(57)【要約】【課題】表示部側筐体と操作部側筐体とを開閉可能及び回転可能に連結した携帯端末装置において、通話開始時における表示部の回転向きに拘らず、通話を直ちに開始できるようにする。【解決手段】表示部側筐体の正面側に設けられた第１のスピーカ１Ｂと、表示部側筐体の背面側に設けられた第２のスピーカ１Ｃと、表示部側筐体と操作部側筐体との開閉状態に基づいて装置本体が折り畳まれているか否かを検出する開閉センサ２１と、操作部側筐体に対する表示部側筐体の回転状態に基づいて表示部側筐体が正面向きあるいは背面向きにセットされているかを検出する回転センサ２２を備え、開閉センサ２１によって装置本体が閉状態から開状態に変化したことが検出されている場合に電話の通話開始を行う際にＣＰＵ１１は、回転センサ２２の検出結果を参照し、表示部側筐体１が正面向きか背面向きかに基づいて第１のスピーカ１Ｂ、第２のスピーカ１Ｃの何れかを有効な受話スピーカとして選択する。【選択図】  図２
2007243762.tif 000002
【特許請求の範囲】
【請求項１】
正面側に主表示部を備えた表示部側筐体と正面側に操作部を備えた操作部側筐体とを開閉可能に連結すると共に回転可能に連結することによって装置本体を複数のスタイルに変更可能な携帯端末装置であって、
表示部側筐体の正面側に設けられた第１のスピーカと、
表示部側筐体の背面側に設けられた第２のスピーカと、
表示部側筐体と操作部側筐体との開閉状態に基づいて装置本体が折り畳まれているか否かを検出する開閉状態検出手段と、
操作部側筐体に対する表示部側筐体の回転状態に基づいて表示部側筐体が正面向きか背面向きかを検出する回転状態検出手段と、
前記開閉状態検出手段によって装置本体が閉状態から開状態に変化したことが検出されている場合に電話の通話開始を行う際には、前記回転状態検出手段の検出結果を参照し、表示部側筐体が正面向きか背面向きかに基づいて前記第１のスピーカ、第２のスピーカの何れかを有効な受話スピーカとして選択するスピーカ選択手段と、
を具備したことを特徴とする携帯端末装置。
【請求項２】
前記回転状態検出手段は、装置本体の開状態において表示部側筐体と操作部側筐体の正面が利用者にそれぞれ対面している状態を正面向きにセットされている状態として検出し、表示部側筐体の背面と操作部側筐体の正面が利用者にそれぞれ対面している状態を背面向きにセットされている状態として検出し、
前記スピーカ選択手段は、表示部側筐体が正面向きにセットされている状態では前記第１のスピーカを有効な受話スピーカとして選択し、背面向きにセットされている状態では前記第２のスピーカを有効な受話スピーカとして選択する、
ようにしたことを特徴とする請求項1記載の携帯端末装置。
【請求項３】
前記第２のスピーカが有効な受話スピーカとして選択されている場合には、前記主表示部に対する表示出力を禁止する、
ようにしたことを特徴とする請求項２記載の携帯端末装置。
【請求項４】
前記表示部側筐体の両面において前記第１のスピーカと第２のスピーカとを対称位置に配置した、
ことを特徴とする請求項１記載の携帯端末装置。
【請求項５】
電話着信を受けてから装置本体が閉状態から開状態に変化した際に、オフフック応答を行って当該相手先との通話接続を確立する、
ようにしたことを特徴とする請求項1記載の携帯端末装置。
【請求項６】
前記回転状態検出手段によって表示部側筐体が背面向きにセットされていることが検出されている場合に前記開閉状態検出手段によって装置本体の閉状態から開状態に変化したことが検出された際に、オフフック応答を行って当該相手先との通話接続を確立する、
ようにしたことを特徴とする請求項５記載の携帯端末装置。
【請求項７】
操作部側筐体の正面側に第１のマイクを設けるほか、表示部側筐体の正面側に第２のマイクを設け、
前記開閉状態検出手段によって装置本体の閉状態が検出され、かつ、前記回転状態検出手段によって表示部側筐体が背面向きにセットされていることが検出されている場合に電話の通話開始を行う際には、前記第１のスピーカを有効な受話スピーカとして選択するほか、表示部側筐体に設けられている第２のマイクを有効な送話マイクとして選択する、
ようにしたことを特徴とする請求項１記載の携帯端末装置。
【請求項８】
前記通話開始を行う際、表示部側筐体の正面側において主表示部を挟むように配置されている前記第１のスピーカと第２のマイクの配置方向を案内するガイド情報を前記主表示部に表示出力する、
ようにしたことを特徴とする請求項１記載の携帯端末装置。
【請求項９】
正面側に主表示部を備えた表示部側筐体と正面側に操作部を備えた操作部側筐体とを開閉可能に連結すると共に回転可能に連結することによって装置本体を複数のスタイルに変更可能な携帯端末装置であって、
表示部側筐体の正面側に設けられた第１のスピーカと、
表示部側筐体の背面側に設けられた第２のスピーカと、
表示部側筐体と操作部側筐体との開閉状態に基づいて装置本体が折り畳まれているか否かを検出する開閉状態検出手段と、
操作部側筐体に対する表示部側筐体の回転状態に基づいて表示部側筐体が正面向きか背面向きかを検出する回転状態検出手段と、
電話の通話開始を行う際に、前記開閉状態検出手段によって装置本体の開状態が検出されている場合には、前記回転状態検出手段の検出結果を参照し、表示部側筐体が正面向きか背面向きかに基づいて前記第１のスピーカ、第２のスピーカの何れかを有効な受話スピーカとして選択し、前記開閉状態検出手段によって装置本体の閉状態が検出されている場合には、前記開状態時に選択されていたスピーカ以外の他のスピーカを選択するスピーカ選択手段と、
を具備したことを特徴とする携帯端末装置。
【請求項１０】
表示部側筐体と操作部側筐体とを開閉可能に連結する開閉軸に対して、その反対側の操作部側筐体の端部側面にマイクを配置した、
ことを特徴とする請求項１０記載の携帯端末装置。
【請求項１１】
コンピュータに対して、
正面側に主表示部を備えた表示部側筐体と正面側に操作部を備えた操作部側筐体とが開閉可能に連結されていて当該表示部側筐体と操作部側筐体との開閉状態に基づいて装置本体が折り畳まれているか否かを検出する機能と、
表示部側筐体と操作部側筐体とが回転可能に連結されていて当該表示部側筐体と操作部側筐体との回転状態に基づいて表示部側筐体が正面向きか背面向きかを検出する機能と、
装置本体が閉状態から開状態に変化したことが検出されている場合に電話の通話開始を行う際には、表示部側筐体の正面側に設けられている第１のスピーカと表示部側筐体の背面側に設けられている第２のスピーカのうち、表示部側筐体が正面向きか背面向きかに基づいて何れかを有効な受話スピーカとして選択する機能と、
を実現させるためのプログラム。
【請求項１２】
コンピュータに対して、
正面側に主表示部を備えた表示部側筐体と正面側に操作部を備えた操作部側筐体とが開閉可能に連結されていて当該表示部側筐体と操作部側筐体との開閉状態に基づいて装置本体が折り畳まれているか否かを検出する機能と、
表示部側筐体と操作部側筐体とが回転可能に連結されていて当該表示部側筐体と操作部側筐体との回転状態に基づいて表示部側筐体が正面向きか背面向きかを検出する機能と、
電話の通話開始を行う際に、装置本体の開状態が検出されている場合には、表示部側筐体の正面側に設けられている第１のスピーカと表示部側筐体の背面側に設けられている第２のスピーカのうち、表示部側筐体が正面向きか背面向きかに基づいて何れかを有効な受話スピーカとして選択し、装置本体の閉状態が検出されている場合には、前記開状態時に選択されていたスピーカ以外の他のスピーカを選択する機能と、
を実現させるためのプログラム。
【発明の詳細な説明】
【技術分野】
【０００１】
この発明は、複数の筐体を開閉可能に連結すると共に回転可能に連結することによって装置本体を複数のスタイルに変更可能な携帯端末装置及びプログラムに関する。
【背景技術】
【０００２】
近年、携帯電話は、様々なデザインの機種が存在しているが、その全体の形状特性から「ストレート型の携帯電話」、「折畳型の携帯電話」、「スライド型の携帯電話」、「回転型の携帯電話」などに分類することができる。この場合、「ストレート型の携帯電話」以外は、持ち運び易さを考慮してコンパクト収納を主目的としたものであり、電話本体の形態はその可動部分によって複数のスタイルに変更することができる。例えば、現在、普及している開閉式折畳型の携帯電話であれば、電話本体を構成する２つ筐体（表示部側筐体と操作部側筐体）の開閉状態に応じて２つのスタイル(クローズスタイルとオープンスタイル)に変更することができる。
この種の携帯電話の発展系として操作部側筐体に対して表示部側筐体を開閉可能に取り付けると共に回転可能に取り付けることによって両筐体を開いた状態に限らず、閉じた状態でも表示内容を視認可能とした携帯電話が知られている（特許文献１参照）。
【特許文献１】特開２００２−１７１３１９号公報
【発明の開示】
【発明が解決しようとする課題】
【０００３】
しかしながら、このような折畳・回転型の携帯電話にあっては、操作部側筐体に対して表示部側筐体を閉じた状態でも表示内容が視認可能となるように表示部側筐体を回転させて使用しているような場合に、通話のために表示部側筐体を開くと、その表示面側に設けられている受話スピーカがユーザの裏側となってしまうため、表示部側筐体を開いたのちに表示部側筐体を１８０°回転させる必要があり、操作の煩雑化を招いていた。
【０００４】
この発明の課題は、表示部側筐体と操作部側筐体とを開閉可能及び回転可能に連結した携帯端末装置であって、通話開始時における表示部側筐体の回転向きに拘らず、通話を直ちに開始できるようにすることである。
【課題を解決するための手段】
【０００５】
請求項１記載の発明は、正面側に主表示部を備えた表示部側筐体と正面側に操作部を備えた操作部側筐体とを開閉可能に連結すると共に回転可能に連結することによって装置本体を複数のスタイルに変更可能な携帯端末装置であって、表示部側筐体の正面側に設けられた第１のスピーカと、表示部側筐体の背面側に設けられた第２のスピーカと、表示部側筐体と操作部側筐体との開閉状態に基づいて装置本体が折り畳まれているか否かを検出する開閉状態検出手段と、操作部側筐体に対する表示部側筐体の回転状態に基づいて表示部側筐体が正面向きか背面向きかを検出する回転状態検出手段と、前記開閉状態検出手段によって装置本体が閉状態から開状態に変化したことが検出されている場合に電話の通話開始を行う際には、前記回転状態検出手段の検出結果を参照し、表示部側筐体が正面向きか背面向きかに基づいて前記第１のスピーカ、第２のスピーカの何れかを有効な受話スピーカとして選択するスピーカ選択手段とを具備したことを特徴とする。
更に、コンピュータに対して、上述した請求項１記載の発明に示した主要機能を実現させるためのプログラムを提供する（請求項１１記載の発明）。
【０００６】
なお、上述した請求項１記載の発明は次のようなものであってもよい。
前記回転状態検出手段は、装置本体の開状態において表示部側筐体と操作部側筐体の正面が利用者にそれぞれ対面している状態を正面向きにセットされている状態として検出し、表示部側筐体の背面と操作部側筐体の正面が利用者にそれぞれ対面している状態を背面向きにセットされている状態として検出し、前記スピーカ選択手段は、表示部側筐体が正面向きにセットされている状態では前記第１のスピーカを有効な受話スピーカとして選択し、背面向きにセットされている状態では前記第２のスピーカを有効な受話スピーカとして選択する（請求項２記載の発明）。
【０００７】
前記第２のスピーカが有効な受話スピーカとして選択されている場合には、前記主表示部に対する表示出力を禁止する（請求項３記載の発明）。
【０００８】
前記表示部側筐体の両面において前記第１のスピーカと第２のスピーカとを対称位置に配置した（請求項４記載の発明）。
【０００９】
電話着信を受けてから装置本体が閉状態から開状態に変化した際に、オフフック応答を行って当該相手先との通話接続を確立する（請求項５記載の発明）。
この場合、前記回転状態検出手段によって表示部側筐体が背面向きにセットされていることが検出されている場合に前記開閉状態検出手段によって装置本体の閉状態から開状態に変化したことが検出された際に、オフフック応答を行って当該相手先との通話接続を確立するようにしてもよい（請求項６記載の発明）。
【００１０】
操作部側筐体の正面側に第１のマイクを設けるほか、表示部側筐体の正面側に第２のマイクを設け、前記開閉状態検出手段によって装置本体の閉状態が検出され、かつ、前記回転状態検出手段によって表示部側筐体が背面向きにセットされていることが検出されている場合に電話の通話開始を行う際には、前記第１のスピーカを有効な受話スピーカとして選択するほか、表示部側筐体に設けられている第２のマイクを有効な送話マイクとして選択する（請求項７記載の発明）。
【００１１】
前記通話開始を行う際、表示部側筐体の正面側において主表示部を挟むように配置されている前記第１のスピーカと第２のマイクの配置方向を案内するガイド情報を前記主表示部に表示出力する（請求項８記載の発明）。
【００１２】
請求項９記載の発明は、正面側に主表示部を備えた表示部側筐体と正面側に操作部を備えた操作部側筐体とを開閉可能に連結すると共に回転可能に連結することによって装置本体を複数のスタイルに変更可能な携帯端末装置であって、表示部側筐体の正面側に設けられた第１のスピーカと、表示部側筐体の背面側に設けられた第２のスピーカと、表示部側筐体と操作部側筐体との開閉状態に基づいて装置本体が折り畳まれているか否かを検出する開閉状態検出手段と、操作部側筐体に対する表示部側筐体の回転状態に基づいて表示部側筐体が正面向きか背面向きかを検出する回転状態検出手段と、電話の通話開始を行う際に、前記開閉状態検出手段によって装置本体の開状態が検出されている場合には、前記回転状態検出手段の検出結果を参照し、表示部側筐体が正面向きか背面向きかに基づいて前記第１のスピーカ、第２のスピーカの何れかを有効な受話スピーカとして選択し、前記開閉状態検出手段によって装置本体の閉状態が検出されている場合には、前記開状態時に選択されていたスピーカ以外の他のスピーカを選択するスピーカ選択手段とを具備したことを特徴とする。
更に、コンピュータに対して、上述した請求項９記載の発明に示した主要機能を実現させるためのプログラムを提供する（請求項１２記載の発明）。
【００１３】
表示部側筐体と操作部側筐体とを開閉可能に連結する開閉軸に対して、その反対側の操作部側筐体の端部側面にマイクを配置した（請求項１０記載の発明）。
【発明の効果】
【００１４】
この発明は、表示部側筐体と操作部側筐体とを開閉可能及び回転可能に連結することによって装置本体を複数のスタイルに変更可能な携帯端末装置において、電話の通話開始時に表示部側筐体の回転向きに拘らず、通話を直ちに開始することができ、スタイル変更に伴うユーザの負担を軽減することが可能となる。
【発明を実施するための最良の形態】
【００１５】
（実施例１）
以下、図１〜図５を参照して本発明の第１実施例を説明する。
この実施例は、携帯端末装置として折畳・回転型(複合型)の携帯電話装置に適用した場合を例示したもので、図１は、この携帯電話装置の外観図であり、(Ａ)、（Ｄ）は、装置本体を閉じた状態を示した図、(Ｂ)、（Ｃ）は、装置本体を開いた状態を示した図である。
この装置本体は、２つの筐体１、２から構成されており、表示部側筐体１と操作部側筐体２とを開閉軸（横軸）を介して開閉可能に連結すると共に回転軸（縦軸）を介して回転可能に連結することによって装置本体を複数零（４種類）のスタイルに変更可能となっている。ここで、表示部側筐体１の正面側はメイン表示部を構成する表示面１Ａ、また、操作部側筐体２の正面側はキー操作部を構成する操作面２Ａとなっている。
【００１６】
図１（Ａ）は、表示部側筐体１の表示面１Ａが操作部側筐体２の操作面２Ａに対面するように表示部側筐体１を操作部側筐体２に重ね合わせた状態（装置本体を折り畳んで閉じた状態）を示している。図１（Ｂ）は、装置本体を折り畳んだ（Ａ）の状態から表示部側筐体１を開いた状態を示している。図１（Ｃ）は、表示部側筐体１を開いた（Ｂ）の状態から表示部側筐体１を１８０°回転させて表示面１Ａを反転させた状態を示している。図１（Ｄ）は、表示面１Ａを逆向きに反転させた（Ｃ）の状態から表示部側筐体１を閉じた状態を示している。
【００１７】
ここで、表示部側筐体１の向きは、その正面側（表示面１Ａ側）が利用者に対面している状態を「正転（正面向き）」、この正面向きから１８０°回転させて表示面１Ａを反転させた状態を「反転（背面向き）」と呼称すると共に、図１(Ａ)に示す状態を「正転クローズスタイル」と呼称し、図１(Ｂ)に示す状態を「正転オープンスタイル」、図１(Ｃ)に示す状態を「反転オープンスタイル」、図１(Ｄ)に示す状態を「ビューアスタイル（反転クローズタイル）」と呼称するものとする。なお、この「ビューアスタイル（反転クローズタイル）」のままで通話を可能とするために、操作部側筐体２の両側部所定位置には、オフフック操作（通話開始操作）／オンフック操作（通話終了操作）用としてのサイドキーＳＫがそれぞれ設けられており、この両側部に設けられた２つのサイドキーＳＫを同時に操作することによってオフフックあるいはオンフックを指示するようにしている。
【００１８】
表示部側筐体１の表示面１Ａの上方近傍には受話用の第１のスピーカ１Ｂが設けられ、操作部側筐体２の操作面２Ａの下方近傍には送話用の第１のマイク２Ｂが設けられており、図１(Ｂ)に示すような「正転オープンスタイル」での通話時には、第１のスピーカ１Ｂ、第１のマイク２Ｂを使用してハンドセット形式で通話するようにしている。表示部側筐体１の背面側（表示面１Ａの反対側）において第１のスピーカ１Ｂの対称位置には、受話用の第２のスピーカ１Ｃが設けられ、表示部側筐体１の表示面１Ａの下方近傍には送話用の第２のマイク１Ｄが設けられており、図１(Ｃ)に示すような「反転オープンスタイル」での通話時には、第２のスピーカ１Ｃ、第１のマイク２Ｂを使用してハンドセット形式で通話するようにしている。このように表示部側筐体１の背面側には第２のスピーカ１Ｃが設けられ、表示面１Ａ側には第２のマイク１Ｄが設けられているため、図１(Ｄ)に示すような「ビューアスタイル（反転クローズタイル）」では第１のスピーカ１Ｂ、第２のマイク１Ｄを使用して通話するようにしている。
【００１９】
図２は、携帯電話装置の基本的な構成要素を示したブロック図である。
ＣＰＵ１１は、記憶部１２内の各種のプログラムに応じてこの携帯電話装置の全体動作を制御する中核的な中央演算処理装置であり、このメインＣＰＵ１１のほか、この携帯電話装置には、機能別に複数のサブＣＰＵ（図示せず）を有する構成となっている。記憶部１２は、不揮発性メモリ(内部メモリ)であり、例えば、フラッシュメモリなどによって構成され、プログラム領域とデータ領域とを有し、このプログラム領域には、後述する図４及び図５に示す動作手順に応じて本実施例を実現するためのプログラムが格納されている。記録メディア１３は、着脱自在な可搬型メモリで、画像データ、各種のデータ、プログラムなどを外部供給するもので、例えば、スマートメディア、ＩＣカードなどによって構成されている。メモリ１４は、ワーク領域を有する内部メモリで、例えば、ＤＲＡＭ、ＳＤＲＡＭ（Synchronous DRAM）などによって構成されている。
【００２０】
電話通信部１５は、無線部を構成するアンテナ１５Ａに接続された送受信部（ベースバンド部）の受信側から信号を取り込んで受信ベースバンド信号に復調したのち、この音声データを音響制御部１６に与えて第1のスピーカ１Ｂあるいは第２のスピーカ１Ｃから音声出力させたり、第１のマイク２Ｂあるいは第２のマイク１Ｄから入力された音声データを音響制御部１６から取り込み、送信ベースバンド信号に符号化したのちに送受信部の送信側に与えられてアンテナ１５Ａから発信出力させる。
【００２１】
メイン表示部１７は、文字情報、各種のメッセージなどを高品位にカラー表示する液晶表示装置などであり、また、装置本体の背面側に設けられたサブ表示部１８は、現在日時、簡易なメッセージ、アイコンなどを表示する液晶表示装置などである。キー操作部１９は、ダイヤル入力、文字入力、コマンド入力などを行うもので、ＣＰＵ１１は、キー操作部９からのキー入力信号に応じた処理を実行する。報知部２０は、着信報知などの報知用のスピーカ、ＬＥＤ(発光ダイオード)、振動モータを備え、電話・メール着信時に駆動されて着信報知を行うほか、アラーム報知時にも駆動される。
【００２２】
開閉センサ２１は、表示部側筐体１と操作部側筐体２との開閉状態を検出する磁気センサあるいはマイクロスイッチなどであり、その開閉に応じて検出信号を出力してＣＰＵ１１に与える。回転センサ２２は、表示部側筐体１と操作部側筐体２との回転状態を検出する磁気センサあるいはマイクロスイッチなどであり、その回転向きに応じて検出信号を出力してＣＰＵ１１に与える。ＣＰＵ１１は、開閉センサ２１及び回転センサ２２からの検出信号に基づいて装置本体のスタイルとして、図１(Ａ)の「正転クローズスタイル」、図１(Ｂ)の「正転オープンスタイル」、図１(Ｃ)の「反転オープンスタイル」、図１(Ｄ)の「ビューアスタイル」を判別する。
【００２３】
図３は、電話着信時のスタイルに応じて第１のスピーカ１Ｂ、第２のスピーカ１Ｃの何れが有効な受話スピーカとして選択されるのか、第１のマイク２Ｂ、第２のマイク１Ｄの何れが有効な送話マイクとして選択されるのかを説明するための図である。
すなわち、電話着信時のスタイルが図１(Ｂ)の「正転オープンスタイル」では、「第１のスピーカ１Ｂ、第１のマイク２Ｂ」が有効な受話スピーカ／送話マイクとして選択される。同様に、図１(Ｃ)の「反転オープンスタイル」では、「第２のスピーカ１Ｃ、第１のマイク２Ｂ」が選択され、図１(Ｄ)の「ビューアスタイル」では、「第１のスピーカ１Ｂ、第２のマイク１Ｄ」が選択される。なお、図１(Ａ)の「正転クローズスタイル」のままでは何れのスピーカ及びマイクも選択されないため、「正転クローズスタイル」から「正転オープンスタイル」あるいは「反転オープンスタイル」に変更すればよい。
【００２４】
次にこの第１実施例における携帯電話装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２５】
図４及び図５は、電話着信検出時における携帯電話装置の全体動作を示したフローチャートである。
先ず、ＣＰＵ１１は、電話通信部１５から着信有り信号を受け取ると、報知部２０を駆動させて着信音／バイブレーションなどを発生させて着信報知を行ったのち（ステップＡ１）、開閉センサ２１から検出信号を取り込み、電話の着信時に装置本体の開閉状態に基づいて「オープンスタイル」か「クローズスタイル」かの判別を行う（ステップＡ２）。いま、表示部側筐体1と操作部側筐体２とが開いている「オープンスタイル」であれば（ステップＡ２でＮＯ）、回転センサ２２から検出信号を取り込み、表示部側筐体1の回転向きに基づいて「正転（正面向き）」か「反転（背面向き）」かの判別を行う（ステップＡ３）。
【００２６】
電話の着信時に表示部側筐体1と操作部側筐体２とが開いているオープンスタイルであって、表示部側筐体1の回転状態が「正転（正面向き）」であれば（ステップＡ３でＹＥＳ）、通常の使用状態である「正転オープンスタイル」であると認識してステップＡ１１に移り、電話の相手先である発信者情報を取得してメイン表示部１７に表示出力させたのち、通話開始操作（オフフック操作）の有無をチェックしたり（ステップＡ１２）、相手先からの着信遮断の有無をチェックする（ステップＡ１３）。ここで、着信遮断を検出した場合には、この時点で図４及び図５のフローの終了となるが、オフフック操作が行われた場合には（ステップＡ１２でＹＥＳ）、それに応答してオフフック処理（通話接続処理）を行う（ステップＡ１４）。そして、第１のスピーカ１Ｂをオンさせると共に、第１のマイク２Ｂをオンさせることによって有効な受話スピーカあるいは送話マイクとして選択したのち（ステップＡ１５）、通話可能状態となる。
【００２７】
また、電話の着信時にオープンスタイルであって表示部側筐体1の回転状態が「反転（背面向き）」であれば（ステップＡ３でＮＯ）、図１(Ｃ)の「反転オープンスタイル」であると認識してステップＡ４に移り、相手先である発信者情報を取得してサブ表示部１８に表示出力させたのち、通話開始操作（オフフック操作）の有無をチェックしたり（ステップＡ５）、相手先からの着信遮断の有無をチェックする（ステップＡ６）。ここで、着信遮断を検出した場合には、この時点で図４及び図５のフローの終了となるが、オフフック操作が行われた場合には（ステップＡ５でＹＥＳ）、ステップＡ２２に移ってオフフック処理（通話接続処理）が行われる。そして、第２のスピーカ１Ｃをオンさせるほか、第１のマイク２Ｂをオンさせることによって有効な受話スピーカあるいは送話マイクとして選択すると共に（ステップＡ２３）、メイン表示部１７をオフしてその表示内容を消去したのち（ステップＡ２４）、通話可能状態となる。
【００２８】
一方、電話の着信時に表示部側筐体1と操作部側筐体２とが閉じている「クローズスタイル」であれば（ステップＡ２でＹＥＳ）、回転センサ２２から検出信号を取り込み、「正転（正面向き）」か「反転（背面向き）」かを判別する（ステップＡ７）。ここで、表示部側筐体1が「正転（正面向き）」であれば、図１(Ａ)の「正転クローズスタイル」であると認識してステップＡ８に移り、相手先である発信者情報を取得してサブ表示部１８に表示出力させたのち、再び、開閉センサ２１から検出信号を取り込み、「クローズスタイル」から「オープンスタイル」に変更されたかをチェックしたり（ステップＡ９）、相手先からの着信遮断の有無をチェックする（ステップＡ１０）。
【００２９】
ここで、着信遮断を検出した際には、この時点で図４及び図５のフローの終了となるが、「クローズスタイル」から「オープンスタイル」に変更された際には（ステップＡ９でＹＥＳ）、電話着信を受けてから通話接続されるまでの間に「正転クローズスタイル」から「正転オープンスタイル」に変更されたため、発信者情報の表示先をサブ表示部１８からメイン表示部１７に変更したのち（ステップＡ１１）、上述の同様に、オフフック操作に応答して（ステップＡ１２）、オフフック処理（通話接続処理）を行うと共に（ステップＡ１４）、第１のスピーカ１Ｂをオンさせると共に、第１のマイク２Ｂをオンさせることによって有効な受話スピーカあるいは送話マイクとして選択したのち（ステップＡ１５）、通話可能状態となる。
【００３０】
また、電話の着信時に「クローズスタイル」であって表示部側筐体1が「反転（背面向き）」であれば（ステップＡ７でＮＯ）、図１(Ｄ)の「ビューアスタイル」であると認識して図５のステップＡ１６に移り、発信者情報をメイン表示部１７に表示出力させたのち、図１（Ｄ）に示したサイドキーＳＫによるオフフック操作の有無をチェックする（ステップＡ１７）。ここで、オフフック操作が行われた場合には、それに応答してオフフック処理（通話接続処理）を行うと共に（ステップＡ１８）、第１のスピーカ１Ｂをオンさせると共に、第２のマイク１Ｄをオンさせることによって有効な受話スピーカあるいは送話マイクとして選択する（ステップＡ１９）。そして、図１（Ｄ）に示すように、有効な受話スピーカ及び送話マイクの位置関係を案内する矢印マークをメイン表示部１７に表示出力させたのち（ステップＡ２０）、通話可能状態となる。なお、この矢印マークは、装置本体をどのような向きにして耳、口に当てるかを示す通話方向を示している。
【００３１】
このように「ビューアスタイル」でオフフック操作が行われた場合には、第１のスピーカ１Ｂ、第２のマイク１Ｄが選択されるが（ステップＡ１９）、オフフック操作が行われなければ、再び、開閉センサ２１から検出信号を取り込み、「クローズスタイル」から「オープンスタイル」に変更されたかをチェックしたり（ステップＡ２１）、相手先からの着信遮断の有無をチェックする（ステップＡ２５）。いま、「ビューアスタイル」から表示部側筐体1を開くことによって「反転オープンスタイル」に変更された場合には（ステップＡ２１でＹＥＳ）、ステップＡ２２に移り、オフフック処理（通話接続処理）を行う。つまり、オフフック操作を行わなくてもスタイルを変更するだけで通話接続が行われる。そして、第２のスピーカ１Ｃをオンさせるほか、第１のマイク２Ｂをオンさせることによって有効な受話スピーカあるいは送話マイクとして選択すると共に（ステップＡ２３）、メイン表示部１７をオフしてその表示内を容消去したのち（ステップＡ２４）、通話可能状態となる。
【００３２】
以上のように、この第１実施例の携帯電話装置には表示部側筐体１の正面側に第１のスピーカ１Ｂとその背面側に第２のスピーカ１Ｃが設けられており、電話着信を受けてから通話接続が確立されるまでの間に「クローズスタイル」から「オープンスタイル」に変化された際には、表示部側筐体１の回転向きに応じて第１のスピーカ１Ｂ、第２のスピーカ１Ｃの何れかを有効な受話スピーカとして選択するようにしたから、表示部側筐体１の回転向きに拘らず、通話を直ちに開始することができ、スタイル変更に伴うユーザの負担を軽減することが可能となる。例えば、「ビューアスタイル（反転クローズスタイル）」にセットされている状態において電話着信を受けた場合に、この「ビューアスタイル」から「反転オープンスタイル」に変えるだけで第２のスピーカ１Ｃが受話スピーカとして選択されるので、「反転オープンスタイル」の状態から表示部側筐体１を１８０°回転させて「正転オープンスタイル」に変更する必要がなくなり、その分、ユーザの負担を軽減することが可能となる。この場合、第１のスピーカ１Ｂ、第２のスピーカ１Ｃの何れかをオンさせ、他方をオフのままとすることによって不必要をスピーカとして機能させないようにしたから、第三者による盗み聞きを防ぐこともできる。
【００３３】
また、第２のスピーカ１Ｃが有効な受話スピーカとして選択されている場合には、メイン表示部１７をオフしてその表示出力を禁止するようにしたから、無駄な電力消費を抑えることが可能となる。また、表示部側筐体１の両面において第１のスピーカ１Ｂと第２のスピーカ１Ｃとを対称位置に配置するようにしたから、「反転オープンスタイル」の場合でも耳とスピーカとの関係は「正転オープンスタイル」の場合と同様となり、使い勝手を損なうこともない。
【００３４】
電話着信を受けてから「クローズスタイル」から「オープンスタイル」に変化された際に、つまり、電話の着信時に表示部側筐体１が背面向きにセットされている「ビューアスタイル」から「反転オープンスタイル」に変化させた際に、オフフック応答を行って通話接続を確立するようにしたから、オフフック操作を行わなくても、電話着信時のスタイルを変更するだけで自動的に通話接続することが可能となる。
【００３５】
操作部側筐体２の正面側に第１のマイク２Ｂを設けるほか、表示部側筐体１の正面側に第２のマイク１Ｄを設けられている状態において、「ビューアスタイル」での通話接続時には、第１のスピーカ１Ｂを有効な受話スピーカとして選択するほか、第２のマイク１Ｄを有効な送話マイクとして選択するようにしたから、「ビューアスタイル」での通話が可能となる。この場合、通話接続時に、表示部側筐体１の正面側においてメイン表示部１７を挟むように配置されている第１のスピーカ１Ｂと第２のマイク１Ｄの配置方向を案内する矢印をメイン表示部１７に表示出力するようにしたから、装置本体をどのような向きにして耳、口に当てるかを示す通話方向を案内することが可能となる。
【００３６】
なお、上述した第１実施例においては、電話の着信時に「ビューアスタイル」から「反転オープンスタイル」に変化させた際に、オフフック応答を行って自動的に通話接続を行うようにしたが、電話の着信時に「正転クローズスタイル」から「正転オープンスタイル」に変化させた際に、オフフック応答を行って自動的に通話接続を行うようにしてもよい。また、上述した第１実施例においては、表示部側筐体１の正面側においてメイン表示部１７を挟むように第１のスピーカ１Ｂと第２のマイク１Ｄを配置するようにしたが、「ビューアスタイル」において第２のマイク１Ｄを使用可能であれば、第２のマイク１Ｄの設置位置は任意である。
（実施例２）
【００３７】
以下、この発明の第２実施例について図６及び図７を参照して説明する。
なお、上述した第１実施例においては、操作部側筐体２の正面側に第１のマイク２Ｂを設けるほか、表示部側筐体１の正面側に第２のマイク１Ｄを設けたが、この第２実施例では、どのようなスタイルであっても１つのマイクを共通使用できるように操作部側筐体２の所定位置に共通マイクを設けるようにしたものである。また、第２実施例では、「正転クローズスタイル」のままでも良好な通話を可能としたものである。
ここで、両実施例において基本的あるいは名称的に同一のものは、同一符号を付して示し、その説明を省略すると共に、以下、第２実施例の特徴部分を中心に説明するものとする。
【００３８】
図６は、第２実施例において共通マイク２Ｃの配置状態を説明するための図である。
第２実施例では、表示部側筐体１と操作部側筐体２とを開閉可能に連結する開閉軸（横軸）２３に対して、その反対側の操作部側筐体２の端部側面に共通マイク２Ｃを配置した構成となっている。このように共通マイク２Ｃを操作部側筐体２の端部側面に設けることによって共通マイク２Ｃは、どのようなスタイルでも露出状態（集音可能）となると共に、共通マイク２Ｃの近傍には第１のスピーカ１Ｂあるいは第２のスピーカ１Ｃが位置するようになり、図６（Ａ）に示すように「正転クローズスタイル」では、共通マイク２Ｃと第２のスピーカ１Ｃとを使用して通話することが可能となり、図６（Ｂ）に示すように「ビューアスタイル」では、共通マイク２Ｃと第１のスピーカ１Ｂとを使用して通話することが可能となる。
【００３９】
図７は、第２実施例において電話着信検出時の動作を示したフローチャートであり、基本的には図４及び図５のフローチャートと同様であるため、以下、その相違点を中心に説明するものとする。なお、図７では、図４及び図５で示した発信者情報の表示に関するステップと着信遮断の有無をチェックするステップを図示省略している。
先ず、ＣＰＵ１１は、電話の着信報知を行ったのち（ステップＢ１）、「オープンスタイル」か「クローズスタイル」かを判別し（ステップＢ２）、その結果、「オープンスタイル」であれば、更に、表示部側筐体1の回転向きを判別する（ステップＢ３）。ここで、「正転（正面向き）」であれば、「正転オープンスタイル」であると認識してステップＢ１０に移り、オフフック操作に応答してオフフック処理（通話接続処理）を行う（ステップＢ１１）。そして、第１のスピーカ１Ｂをオンさせると共に、共通マイク２Ｃをオンさせることによって有効な受話スピーカあるいは送話マイクとして選択したのち（ステップＢ１２）、通話可能状態となる。
【００４０】
また、電話着信時に「反転オープンスタイル」であれば（ステップＢ３でＮＯ）、オフフック操作に応答してオフフック処理（通話接続処理）を行ったのち（ステップＢ１７）、第２のスピーカ１Ｃをオンさせるほか、共通マイク２Ｃをオンさせることによって有効な受話スピーカあるいは送話マイクとして選択したのち（ステップＢ１８）、通話可能状態となる。一方、電話着信時に「正転クローズスタイル」であれば（ステップＢ５でＹＥＳ）、サイドキーＳＫによるオフフック操作の有無をチェックする（ステップＢ６）。この「正転クローズスタイル」においてオフフック操作が行われたときには、それに応答してオフフック処理（通話接続処理）を行うと共に（ステップＢ７）、第２のスピーカ１Ｃをオンさせると共に、共通マイク２Ｃをオンさせることによって有効な受話スピーカあるいは送話マイクを選択したのち（ステップＢ８）、通話可能状態となる。
【００４１】
また、電話着信時に「ビューアスタイル」であれば（ステップＢ５でＮＯ）、上述した「正転クローズスタイル」の場合と同様に、サイドキーＳＫによるオフフック操作の有無をチェックし（ステップＢ１３）、オフフック操作が行われた場合には、それに応答してオフフック処理（通話接続処理）を行ったのち（ステップＢ１４）、第１のスピーカ１Ｂをオンさせると共に、共通マイク２Ｃをオンさせる（ステップＢ１５）。また、「ビューアスタイル」から表示部側筐体1を開くことによって「反転オープンスタイル」に変更された場合には（ステップＢ１６でＹＥＳ）、オフフック処理（通話接続処理）を行うと共に（ステップＢ１７）、第２のスピーカ１Ｃをオンさせるほか、共通マイク２Ｃをオンさせる（ステップＢ１８）。その後、通話可能状態となる。
【００４２】
以上のように、この第２実施例においては、表示部側筐体１と操作部側筐体２とを開閉可能に連結する開閉軸（横軸）２３に対して、その反対側の操作部側筐体２の端部側面に共通マイク２Ｃを配置することで共通マイク２Ｃをどのようなスタイルでも露出可能（集音可能）とすることができるようになる。したがって、「正転クローズスタイル」では、共通マイク２Ｃと第２のスピーカ１Ｃとを使用して通話することが可能となり、「ビューアスタイル」では、共通マイク２Ｃと第１のスピーカ１Ｂとを使用して通話することが可能となる。
【００４３】
この場合、電話着信時のスタイルが「オープンスタイル」であれば、表示部側筐体１の回転向きに応じて第１のスピーカ１Ｂ、第２のスピーカ１Ｃの何れかを有効な受話スピーカとして選択し、「クローズスタイル」であれば、上述の「オープンスタイル」の場合に表示部側筐体１の回転向きに応じて選択されていたスピーカとは逆のスピーカを有効な受話スピーカとして選択することができる。例えば、「正転オープンスタイル」では第１のスピーカ１Ｂを選択し、「正転クローズスタイル」では第２のスピーカ１Ｃを選択し、「反転オープンスタイル」では第２のスピーカ１Ｃを選択し、「反転クローズスタイル」では第１のスピーカ１Ｂを選択することができるので、上述した第１実施例と同様に表示部側筐体１の回転向きに拘らず、通話を直ちに開始することが可能となる。その他、この第２実施例においても上述した第１実施例と同様の効果を有する。
【００４４】
なお、上述した第２実施例において共通マイク２Ｃは、操作部側筐体２の端部側面に配置したが、表示部側筐体１の端部側面に配置してもよい。また、開閉軸（横軸）２３の反対側端部に限らず、表示部側筐体１あるいは操作部側筐体２の幅方向（短辺方向）の側面部に共通マイク２Ｃを配置するようにしてもよい。つまり、共通マイク２Ｃは、どのようなスタイルでも露出可能（集音可能）となる位置であればよい。
【００４５】
また、上述した第１及び第２実施例においては、表示部側筐体１の背面側に第２のスピーカ１Ｃを設けた場合を例示したが、表示部側筐体１の背面側に着信音／音楽などを発生出力する既存の高音圧タイプの背面スピーカが備えられている場合には、この背面スピーカを受話用の第２のスピーカとして選択するようにしてもよい。このように既存の背面スピーカを受話用の第２のスピーカとして兼用する場合には、その選択時に受話用スピーカ並みの音量に自動調整するようにすればよい。
その他、携帯電話装置に限らず、例えば、電話機能付きのＰＤＡ、電子カメラ、電子腕時計、音楽再生機などの携帯端末装置であっても同様に適用可能である。
【図面の簡単な説明】
【００４６】
【図１】携帯端末装置として適用した折畳・回転型(複合型)の携帯電話装置の外観図であり、(Ａ)、（Ｄ）は、装置本体を閉じた状態を示した図、(Ｂ)、（Ｃ）は、装置本体を開いた状態を示した図。
【図２】携帯電話装置の基本的な構成要素を示したブロック図。
【図３】電話着信時のスタイルに応じて第１のスピーカ１Ｂ、第２のスピーカ１Ｃの何れが有効な受話スピーカとして選択されるのか、第１のマイク２Ｂ、第２のマイク１Ｄの何れが有効な送話マイクとして選択されるのかを説明するための図。
【図４】電話着信検出時における携帯電話装置の全体動作を示したフローチャート。
【図５】図４に続く、フローチャート。
【図６】第２実施例において共通マイク２Ｃの配置状態を説明するための図。
【図７】第２実施例において電話着信検出時の動作を示したフローチャート。
【符号の説明】
【００４７】
１  表示部側筐体
１Ａ  表示面
１Ｂ  第１のスピーカ
１Ｃ  第２のスピーカ
１Ｄ  第２のマイク
２  操作部側筐体
２Ａ  操作面
２Ｂ  第１のマイク
２Ｃ  共通マイク
１１  ＣＰＵ
１２  記憶部
１５  電話通信部
１６  音響制御部
１７  メイン表示部
１８  サブ表示部
１９  キー操作部
２１  開閉センサ
２２  回転センサ
２３  開閉軸
【図１】
2007243762.tif 000003
【図２】
2007243762.tif 000004
【図３】
2007243762.tif 000005
【図４】
2007243762.tif 000006
【図５】
2007243762.tif 000007
【図６】
2007243762.tif 000008
【図７】
2007243762.tif 000009